(57)【要約】【課題】  水切りと下枠下面間からの水の浸入を確実に防止でき、尚且つ安価で施工性も良好なサッシの提供。【解決手段】  下枠１と、下枠下面１ａに取付けた水切り２とを備え、下枠１は、下面側に複数の被係止部７，８を有し、水切り２は、下枠１よりも室外側まで張出す水切り部３と、水切り部３の上面に突設した複数の係止片９，１０と、水切り部３の室内側に位置する立ち上がり部４と、立ち上がり部４の近傍に設けたタイト材ホルダー５と、タイト材ホルダー５に保持したタイト材６とを有し、複数の係止片９，１０を下枠の被係止部７，８にそれぞれ係止すると共に、タイト材６を下枠下面１ａに当接している。【選択図】      図１
2011089277.tif 000002
【特許請求の範囲】
【請求項１】
下枠と、下枠下面に取付けた水切りとを備え、下枠は、下面側に複数の被係止部を有し、水切りは、下枠よりも室外側まで張出す水切り部と、水切り部の上面に突設した複数の係止片と、水切り部の室内側に位置する立ち上がり部と、立ち上がり部の近傍に設けたタイト材ホルダーと、タイト材ホルダーに保持したタイト材とを有し、複数の係止片を下枠の被係止部にそれぞれ係止すると共に、タイト材を下枠下面に当接していることを特徴とするサッシ。
【請求項２】
タイト材ホルダーは、室外側に開放したものであることを特徴とする請求項１記載のサッシ。
【請求項３】
タイト材は、室外側の斜め上向きに傾斜するヒレ片を有し、ヒレ片の先端部が下枠下面に接するようにしたことを特徴とする請求項２記載のサッシ。
【請求項４】
タイト材ホルダーは、室内側に開放したものであることを特徴とする請求項１記載のサッシ。
【請求項５】
タイト材ホルダーは、立ち上がり部から室外側に突出し且つ上方に開放したものであることを特徴とする請求項１記載のサッシ。
【発明の詳細な説明】
【技術分野】
【０００１】
本発明は、下枠下面に水切りを取付けたサッシに関する。
【背景技術】
【０００２】
サッシの下枠の下面に水切りを取付けたものとして、特許文献１の図９には、水切りの上面に室内外方向に間隔をおいて突設した２つの係止片を下枠下面の被係止部に係止すると共に、水切りの室内側に設けた板状の当接部を両面テープ（防水テープ）により下枠下面に接着したものが記載されている。
【０００３】
上記従来技術においては、水切りと下枠下面との間に両面テープを挟みこんでいるため、組み立て中に両面テープに小石やゴミなどの異物が付着した場合に、その周辺で水切りと下枠下面間に隙間が発生してしまうおそれがあり、しかも接着部分は水切りに隠蔽されているため接着状態の異常に気付かないまま施工が行われ、その隙間から水が躯体側に浸入する可能性があった。
しかも、高価な両面テープを使用しているため、製品単価が高いという問題もあった。さらに両面テープは、一度貼りずれ等の間違いによって剥がしてしまうと、性能が低下するので再使用ができない。
また、両面テープ類を使用する場合は、工場で剥離紙を剥がして貼り付けた後、現場でも剥離紙を剥がして貼り付けるなど手間が大変大きく、しかも運搬中に剥離紙が剥がれた場合は、テープに異物が多数付着してしまい使用ができなくなってしまうという問題もあった。
【先行技術文献】
【特許文献】
【０００４】
【特許文献１】特開２００９−１２１１５６号公報
【発明の概要】
【発明が解決しようとする課題】
【０００５】
本発明は以上に述べた実情に鑑み、水切りと下枠下面間からの水の浸入を確実に防止でき、尚且つ安価で施工性も良好なサッシの提供を目的とする。
【課題を解決するための手段】
【０００６】
上記の課題を達成するために請求項１記載の発明によるサッシは、下枠と、下枠下面に取付けた水切りとを備え、下枠は、下面側に複数の被係止部を有し、水切りは、下枠よりも室外側まで張出す水切り部と、水切り部の上面に突設した複数の係止片と、水切り部の室内側に位置する立ち上がり部と、立ち上がり部の近傍に設けたタイト材ホルダーと、タイト材ホルダーに保持したタイト材とを有し、複数の係止片を下枠の被係止部にそれぞれ係止すると共に、タイト材を下枠下面に当接していることを特徴とする。タイト材ホルダーは、水切りの立ち上がり部に設けてもよいし、立ち上がり部の室内側や室外側に隣接して設けてもよい。
【０００７】
請求項２記載の発明によるサッシは、請求項１記載の発明の構成に加え、タイト材ホルダーは、室外側に開放したものであることを特徴とする。
【０００８】
請求項３記載の発明によるサッシは、請求項２記載の発明の構成に加え、タイト材は、室外側の斜め上向きに傾斜するヒレ片を有し、ヒレ片の先端部が下枠下面に接するようにしたことを特徴とする。
【０００９】
請求項４記載の発明によるサッシは、請求項１記載の発明の構成に加え、タイト材ホルダーは、室内側に開放したものであることを特徴とする。
【００１０】
請求項５記載の発明によるサッシは、請求項１記載の発明の構成に加え、タイト材ホルダーは、立ち上がり部から室外側に突出し且つ上方に開放したものであることを特徴とする。
【発明の効果】
【００１１】
請求項１記載の発明によるサッシは、水切りの立ち上がり部の近傍にタイト材ホルダーを設け、タイト材ホルダーに保持したタイト材が下枠下面に当接していることで、タイト材により水切りと下枠下面間からの水の浸入を確実に防止できる。高価な両面テープが不要になると共に、水切りに両面テープを貼付ける部分を設ける必要がなく、材料費を削減できるので、価格を低くできる。また、複数の係止片を下枠下面の被係止部に係止させるだけで水切りを簡単に取付けでき、剥離紙を剥がして接着する手間が省けるので、施工性も良い。
【００１２】
請求項２記載の発明によるサッシは、請求項１記載の発明の効果に加え、タイト材ホルダーを室外側に開放して設けたことで、タイト材を水切りの立ち上がり部よりも室外側で下枠下面に当接させることができ、これにより立ち上がり部の手前で水の浸入を阻止し、漏水防止効果を高められる。
【００１３】
さらに請求項３記載の発明によるサッシは、タイト材に室外側の斜め上向きに傾斜するヒレ片を有し、ヒレ片の先端部が下枠下面に接するようにしたので、円弧状に凹曲したヒレ片が水返しの役目を果たし、また室外側からの風圧が掛かるとタイト材の先端部が下枠下面により一層密着するため、水の浸入をより一層確実に阻止できる。ヒレ片が室外側の斜め上向きに傾斜していることで、水切りの取付け時にヒレ片の先端部が下枠下面に引っ掛かって折れ曲がったりすることがなく、適宜曲がってその先端部が確実に下枠下面に接し、安定してシール性を発揮する。また、タイト材の形状誤差があっても、ヒレ片が円弧状に曲がり先端部が必ず下枠下面に当接する。
【００１４】
請求項４記載の発明によるサッシは、請求項１記載の発明の効果に加え、タイト材ホルダーを室内側に開放して設けてあるため、下から覗き込むことでタイト材が下枠下面に当接する状態を目で確認することができ、タイト材が収縮して端部に隙間が生じたりした場合でも、コーキング等により補修が容易に行える。
【００１５】
請求項５記載の発明によるサッシは、請求項１記載の発明の効果に加え、タイト材ホルダーが水切りの立ち上がり部から室外側に突出していることで、タイト材ホルダーが水返しの役目を果たし、水の浸入を阻止できる。また、タイト材ホルダーが上方に開放して設けてあり、タイト材が上向きに取付けられることで、立ち上がり部の高さを低く抑えることができ、それに伴って材料費を低減できる。
【図面の簡単な説明】
【００１６】
【図１】図３のＡ−Ａ断面図である。
【図２】図３のＢ−Ｂ断面図である。
【図３】本発明のサッシの一実施形態を示す室外側正面図である。
【図４】水切りの第１実施形態を示す縦断面図である。
【図５】同水切りを下枠下面に取付けるときの様子を示す縦断面図である。
【図６】水切りの取付部分を拡大して示す縦断面図である。
【図７】第１実施形態の水切りに設けられるタイト材の他の例を示す縦断面図である。
【図８】水切りの第２実施形態を示す縦断面図である。
【図９】水切りの第３実施形態を示す縦断面図である。
【図１０】第３実施形態の水切りに設けられるタイト材の他の例を示す縦断面図である。
【発明を実施するための形態】
【００１７】
以下、本発明の実施の形態を図面に基づいて説明する。図３は、本発明のサッシの一実施形態を示す室外側正面図であり、図１は図３のＡ−Ａ断面図、図２は図３のＢ−Ｂ断面図である。本サッシは、たてすべり出し窓の場合の実施形態であって、上枠１２と下枠１と左右の竪枠１４ａ，１４ｂを枠組みしてサッシ枠１５が形成され、サッシ枠１５内に障子１６が支持金具（図示省略）によりたてすべり出し式に開閉自在に支持されている。下枠１の下面１ａには水切り２（第１実施形態の水切り）が取付けてある。水切り２は、図１に示すように、下枠１よりも室外側に張り出し、且つ図２，３に示すように、左右の竪枠１４ａ，１４ｂよりも側方に張り出しており、左右の端部にキャップ１７が取付けてある。
【００１８】
下枠１は、図１に示すように、下面１ａの室内側に下方に垂下した躯体固定片１８を有し、躯体固定片１８を躯体１９の室外側面に当接してビス２０で固定している。下枠１の下面１ａには、躯体固定片１８より室外側に離間した位置と、それよりもさらに室外側に離間した位置の２箇所にタッピングホール２１ａ，２１ｂが設けてある。下枠１の下面１ａの室外側端部には、水切り２の室外側係止片９が係止する室外側被係止部７を有している。室外側被係止部７は、縦片７ａと、縦片７ａの先端部より室内側に突出した横片７ｂとで鉤状に形成してある。室外側被係止部７から室内側に離間した位置には、水切り２の室内側係止片１０が係止する室内側被係止部８を有している。室内側被係止部８は、下枠下面１ａの室外側のタッピングホール２１ｂから室外側に突出する形で形成してある。
【００１９】
水切り２は、図１に示すように、下枠１よりも室外側に張出す水切り部３を有している。水切り部３は、室外側に向けて下り勾配で傾斜している。水切り部３の上面には、下枠１の室外側被係止部７に係止する室外側係止片９と、下枠１の室内側被係止部８に係止する室内側係止片１０とが、室内外方向に離間して設けてある。室外側係止片９は、縦片９ａの中間部に横片９ｂを室外側に突出して形成したものとなっており、横片９ｂが下枠１の室外側被係止部７の室内側に係止している。室内側係止片１０は、縦片１０ａの先端部室外側にくの字状に鋭角に曲がった鉤状片１０ｂを形成したものとなっており、鉤状片１０ｂが下枠１の室内側被係止部８の室外側に係止している。
水切り部３の室内側には、垂直に立ち上がる立ち上がり部４を有し、立ち上がり部４にはリップ溝状のタイト材ホルダー５が、室外側が開放するように鉛直に起立して設けてある。立ち上がり部４の上端４ａと下枠下面１ａとの間には僅かな隙間があり、タイト材ホルダー５に下枠下面１ａとの間の隙間をシールするタイト材６を保持してある。立ち上がり部４は、下枠下面１ａの室内側のタッピングホール２１ａよりも室外側に位置している。
タイト材６は、タイト材ホルダー５内に嵌合保持される基部２２と、基部２２の上端部から室外側の斜め上向きに傾斜してのびるヒレ片１１を有し、ヒレ片１１の先端部上面側が下枠下面１ａに接するように当接している。ヒレ片１１は、水切り２を下枠下面１ａに取付ける前の状態では、図４に示すように、下側に若干膨らんだ円弧状となっており、水切り２を下枠下面１ａに取付けると、図１，６に示すように、ヒレ片１１の先端側が下側に凹むように逆向きに曲がり、その上面側が下枠下面１ａに接するようになっている。
【００２０】
この水切り２の取付け方を説明すると、図５に示すように、まず室外側係止片９を下枠１の室外側被係止部７の室内側に係止させ、その後、その係止部を支点にして室内側部分を持ち上げるように水切り２を回動させると、室内側係止片１０が下枠１の室内側被係止部８の室外側に弾発的に係止し、同時にタイト材６のヒレ片１１の先端部が曲がってその上面側が下枠下面１ａに接し、下枠下面１ａとの間の隙間がシールされる。図１に示すように、水切り２の立ち上がり部４の上端４ａと下枠下面１ａとの間に隙間ができるようにしていることで、水切り２を回動させながら取付ける際に、室内側係止片１０を確実に室内側被係止部８に係止させることができ、２箇所の係止片９，１０が下枠下面１ａの被係止部７，８の間で突っ張る形で係止し、水切り２を下枠１に安定して取付けできる。
こうして水切り２を下枠下面１ａに取付けた後、図１に示すように、立ち上がり部４と下枠１の躯体固定片１８との間にバックアップ材２３を装填し、水切り２の下面と外壁材２４との隙間にシール材２５を充填する。
【００２１】
以上に述べたように本サッシは、水切り２の立ち上がり部４にタイト材ホルダー５を室外側に開放して設け、タイト材ホルダー５に保持したタイト材６を下枠下面１ａに当接しているので、水切り２と下枠下面１ａ間からの水の浸入をタイト材６により確実に防止でる。しかも従来のように剥離紙を剥がして両面テープを接着させる必要がなく、水切り２を回動させつつ２箇所の係止片９，１０を下枠下面１ａの被係止部７，８に係止させるだけで、水切り２を下枠下面１ａに簡単に且つ安定して取付けでき、施工性がよい。また、高価な両面テープが不要になると共に、水切り２に両面テープを貼付ける部分を設ける必要がなく、材料費を削減できるので、価格を低くできる。
さらに、タイト材ホルダー５を室外側に開放して設けたことで、タイト材６を水切り２の立ち上がり部４よりも室外側で下枠下面１ａに当接させることができ、これにより立ち上がり部４の手前で水の浸入を阻止し、漏水防止効果を高めることができる。また、タイト材ホルダー５が鉛直に起立しているので、タイト材ホルダー５を上方に開口した場合と比較して、タイト材ホルダー５の内部に水が溜まり難い。
特に本実施形態では、タイト材５に室外側の斜め上向きに傾斜するヒレ片１１を有し、ヒレ片１１の先端部が下枠下面１ａに接するように当接しているため、図６中に矢印２６で示すように、下枠下面１ａと水切り２上面との間から浸入しようとする雨水は、円弧状に凹曲したヒレ片１１により効果的に跳ね返され、また室外側からの風圧が掛かるとヒレ片１１が下枠下面１ａにより一層密着することから、高い止水性を安定して確保できる。またこのようにヒレ片１１が室外側の斜め上向きに傾斜していることで、図５に示すように水切り２を回動させながら下枠１に取付ける際に、ヒレ片１１の先端部が下枠下面１ａに引っ掛かって折れ曲がったりすることがなく、全長にわたって確実に下枠下面１ａに当接させられる。タイト材６の形状誤差があっても、ヒレ片１１が適宜曲がり先端部が必ず下枠下面１ａに当接する。
【００２２】
図７は、水切り２自体の形状を変えずに、タイト材６のみを変更した実施形態を示している。図７（ａ）は、タイト材６の基部２２の室外側にヒレ片１１の代わりにスポンジ状の当接部２７を上方に突出して設けてあり、当接部２７が押し潰されて下枠下面１ａに当接するようにしたものである。図７（ｂ）は、タイト材６の当接部２７をゴムで中空状に形成している。このようなタイト材６を用いた場合でも、タイト材６の当接部２７が水返しの役目を果たすと共に、タイト材６の当接部１７が下枠下面１ａに確実に当接し、水切り２と下枠下面１ａ間からの水の浸入を確実に防止できる。また、タイト材ホルダー５が鉛直に起立しているので、タイト材ホルダー５を上方に開口した場合と比較して、タイト材ホルダー５の内部に水が溜まり難い。
【００２３】
図８は、水切り２の第２実施形態を示している。この水切り２は、立ち上がり部４にタイト材ホルダー５が、室内側が開放するように鉛直に起立して設けてあり、タイト材ホルダー５にタイト材６が室内側に向けて取付けてある。タイト材６は、タイト材ホルダー５に嵌合保持される基部２２と、基部２２の上端部より室内側の斜め上向きに傾斜してのびるヒレ片１１を有し、ヒレ片１１の先端部が下枠下面１ａに当接するようにしている。
本実施形態の水切り２は、タイト材ホルダー５が室内側に開放して設けてあって、タイト材６が立ち上がり部４から室内側に向けて取付けてあるため、下からのぞき込むことでタイト材６が下枠下面１ａに当接する状態を目で確認できる利点があり、仮にタイト材６が収縮して端部に隙間が生じたりした場合でも、コーキング等により補修が容易に行える。
なおタイト材６は、図７（ａ），（ｂ）に示すように、ヒレ片１１の代わりにスポンジ状や中空状の当接部２７を設けたものであってもよい。
【００２４】
図９は、水切り２の第３実施形態を示している。この水切り２は、タイト材ホルダー５が立ち上がり部４から室外側に突出し且つ上方に開放して設けてあり、タイト材ホルダー５にタイト材６が上方に向けて取付けてある。タイト材６は、タイト材ホルダー５に嵌合保持される基部２２と、基部２２からまっすぐ上方にのびるヒレ片１１を有している。水切り２を下枠下面１ａに取付けると、タイト材６のヒレ片１１が室外側若しくは室内側に円弧状に曲がって先端部が下枠下面１ａに当接し、水切り２と下枠下面１ａ間の隙間をシールする。
本実施形態の水切り２は、タイト材ホルダー５が水切り２の立ち上がり部４から室外側に突出していることで、タイト材ホルダー５が水返しの役目を果たし、水の浸入を阻止できる。また、タイト材ホルダー５が上方に開放して設けてあり、タイト材６が上向きに取付けられることで、立ち上がり部４の高さを低く抑えることができ、それに伴って材料費を低減できる。
なおタイト材５は、ヒレ片１１が室外側の斜め上方に向けて傾斜したものとすることもできる。また図１０（ａ），（ｂ）に示すように、ヒレ片１１の代わりにスポンジ状や中空状の当接部２７を設けたものであってもよい。
【００２５】
本発明は以上に述べた実施形態に限定されない。下枠１及び水切り２の断面形状は適宜変更することができる。水切り２のタイト材ホルダー５は、立ち上がり部４に設けたものに限らず、立ち上がり部４から室内側や室外側に向けて張り出す部分を設け、その張り出し部分の先にタイト材ホルダー５を設けることもできる。また水切り２は、室外側係止片９を先に係止させ、水切り２の室内側を持ち上げるように回動させて下枠下面１ａに取付けるものに限らず、これとは逆に室内側係止片１０を先に係止させて、水切り２の室外側を持ち上げるようにして下枠下面１ａに取付けるものであってもよい。もちろん室外側係止片９と室内側係止片１０を同時に係止させてもよいことは言うまでもない。また水切り２は、室内側係止片１０が立ち上がり部４よりも室内側に位置するものや、複数の係止片が上下方向に離間して設けてあるものでもよい。本発明のサッシは、いかなる種類の窓にも対応可能であって、たて辷り出し窓の他、回転窓や上げ下げ窓等の任意の装飾窓、引き違い窓、嵌め殺し窓等とすることもできる。
【符号の説明】
【００２６】
１  下枠
１ａ  下枠下面
２  水切り
３  水切り部
４  立ち上がり部
５  タイト材ホルダー
６  タイト材
７  室外側被係止部（被係止部）
８  室内側被係止部（被係止部）
９  室外側係止片（係止片）
１０  室内側係止片（係止片）
１１  ヒレ片
【図１】
2011089277.tif 000003
【図２】
2011089277.tif 000004
【図３】
2011089277.tif 000005
【図４】
2011089277.tif 000006
【図５】
2011089277.tif 000007
【図６】
2011089277.tif 000008
【図７】
2011089277.tif 000009
【図８】
2011089277.tif 000010
【図９】
2011089277.tif 000011
【図１０】
2011089277.tif 000012